(57)【要約】【課題】包装袋の絞り出し作業を行う前は蓋本体の開口部から容器内に外部の空気や異物を侵入させることがなく、包装袋の内容物を絞り出す場合は開口部を容易に形成することのできる容器用蓋を提供する。【解決手段】蓋本体１１の所定位置から分離させることにより開口部１２を形成する分離可能部１３を蓋本体１１に一体に形成したので、包装袋の絞り出し作業を行う前は、蓋本体１１の開口部１２を分離可能部１３によって密閉しておくことができる。これにより、開口部１２から容器内に外部の空気や異物が侵入することがなく、容器内の内容物の乾燥や劣化を確実に防止することができる。また、包装袋の絞り出し作業を行う場合は、分離可能部１３を蓋本体１１から分離させることにより開口部１２を容易に形成することができるので、包装袋の絞り出し作業を速やかに開始することができる。【選択図】図６
2006232335.tif 000002
【特許請求の範囲】
【請求項１】
所定の容器に着脱自在に装着される蓋本体と、蓋本体に設けられるスリット状の開口部とを備え、粘性の液体からなる所定の内容物を封入した包装袋を蓋本体の開口部に一方から挿入して他方に引き出すことにより、開口部の縁部で包装袋内の内容物を絞り出すようにした容器用蓋において、
前記蓋本体に一体に形成され、蓋本体の所定位置から分離させることにより前記開口部を形成する分離可能部を設けた
ことを特徴とする容器用蓋。
【請求項２】
前記分離可能部を開口部となる部分の周縁に沿って延びる溝の内側に設けるとともに、溝から切り離すことにより蓋本体から分離可能に形成した
ことを特徴とする請求項１記載の容器用蓋。
【請求項３】
前記分離可能部の長手方向一端側に把持部を設けた
ことを特徴とする請求項２記載の容器用蓋。
【請求項４】
前記分離可能部を開口部となる部分を覆うように蓋本体の一方の面側に中空状に突設するとともに、蓋本体の一方の面に沿って切断することにより蓋本体から分離可能に形成した
ことを特徴とする請求項１記載の容器用蓋。
【請求項５】
前記分離可能部の周囲に補強部を設けた
ことを特徴とする請求項１、２、３または４記載の容器用蓋。
【請求項６】
前記蓋本体を射出成形によるプラスチック成形品から形成した
ことを特徴とする請求項１、２、３、４または５記載の容器用蓋。
【発明の詳細な説明】
【技術分野】
【０００１】
本発明は、例えば二液混合型シーリング材を収容する容器に用いられ、容器内の一方の材料に混合する他方の材料を封入した包装袋から内容物を絞り出すための開口部を備えた容器用蓋に関するものである。
【背景技術】
【０００２】
一般に、建物の施工、各種工業製品の製造等においては、目地止めや防水のためにシーリング材が広く用いられており、このシーリング材には、一方の材料（主剤または硬化剤）に他方の材料を混合して使用する、いわゆる二液混合型のものがある。即ち、この種のシーリング材は、蓋付きの容器に一方の材料が収容されるとともに、容器の蓋の外側に他方の材料を封入した包装袋が添付され、蓋を開放して容器内の一方の材料に包装袋内から他方の材料を絞り出すことにより、各材料を混合するようになっている。
【０００３】
ところで、前記包装袋から他方の材料を絞り出す場合は、包装袋の一端側を開封するとともに、指先で包装袋の他端側から一端側に向かって中味を押し出すようにしているが、このような方法では他方の材料の一部が包装袋内に残り易く、完全に絞り出そうとすると、作業に長時間を要するとともに、他方の材料が手に付着して作業性を低下させる場合が多いという欠点がある。また、包装袋から内容物を絞り出すための専用の器具もあるが、このような器具は持ち運びに手間を要するとともに、現場への持ち込みを忘れ易いという欠点がある。
【０００４】
そこで、容器の蓋にスリット状の開口部を設け、包装袋を開口部に一方から挿入して他方に引き出すことにより、開口部の縁部で包装袋内の内容物を絞り出すようにしたものが知られている（例えば、特許文献１参照。）。
【特許文献１】実用新案登録第２６０４７２４号公報
【発明の開示】
【発明が解決しようとする課題】
【０００５】
前述のように容器の蓋に絞り出し用の開口部を設けたものでは、包装袋の内容物を手に付着させることなくほぼ完全に絞り出すことができ、しかも開口部が容器の蓋に設けられているため、持ち運びの手間がなく現場への持ち込みを忘れることもないという利点があるが、予め蓋に開口部が設けられているため、開口部から外部の空気や異物が侵入し、容器内の材料が乾燥や劣化を生じ易いという問題点があった。
【０００６】
本発明は前記問題点に鑑みてなされたものであり、その目的とするところは、包装袋の絞り出し作業を行う前は蓋本体の開口部から容器内に外部の空気や異物を侵入させることがなく、包装袋の内容物を絞り出す場合は開口部を容易に形成することのできる容器用蓋を提供することにある。
【課題を解決するための手段】
【０００７】
本発明は前記目的を達成するために、所定の容器に着脱自在に装着される蓋本体と、蓋本体に設けられるスリット状の開口部とを備え、粘性の液体からなる所定の内容物を封入した包装袋を蓋本体の開口部に一方から挿入して他方に引き出すことにより、開口部の縁部で包装袋内の内容物を絞り出すようにした容器用蓋において、前記蓋本体に一体に形成され、蓋本体の所定位置から分離させることにより前記開口部を形成する分離可能部を設けている。
【０００８】
これにより、包装袋の絞り出し作業を行う前は、蓋本体の開口部を分離可能部によって密閉しておくことができるので、開口部から容器内に外部の空気や異物が侵入することがない。また、包装袋の内容物を絞り出す場合は、分離可能部を蓋本体から分離させることにより開口部を容易に形成することができる。
【発明の効果】
【０００９】
本発明によれば、包装袋の絞り出し作業を行う前は、蓋本体の開口部から容器内に外部の空気や異物を侵入させることがないので、容器の内容物の乾燥や劣化を確実に防止することができる。また、包装袋の内容物を絞り出す場合は、蓋本体に開口部を容易に形成することができるので、包装袋の絞り出し作業を速やかに開始することができる。
【発明を実施するための最良の形態】
【００１０】
図１乃至図７は本発明の一実施形態を示すもので、図１は容器及び容器用蓋の全体斜視図、図２は容器用蓋の下面側斜視図、図３は分離可能部の斜視図、図４及び図５はその側面断面図、図６は開口部の形成方法を示す斜視図、図７は開口部の使用方法を示す斜視図である。
【００１１】
同図に示す容器用蓋１０は、シーリング材の一方の材料Ａ（主剤または硬化剤）を収容した容器２０の上面開口部に装着され、蓋１０の上面には他方の材料Ｂを封入した樹脂フィルム製の包装袋３０が添付されている。
【００１２】
蓋１０は、円板状に形成された蓋本体１１と、包装袋３０から内容物を絞り出すための開口部１２と、蓋本体１１に開口部１２を形成可能な分離可能部１３と、分離可能部１３の周囲に設けられた補強部１４とからなる。
【００１３】
蓋本体１１は射出成形によって成形されるプラスチック成形品からなり、その周縁には容器２０の上端縁に係止するフランジ部１１ａが設けられている。
【００１４】
開口部１２は所定幅（例えば２ｍｍ〜３ｍｍ）のスリット状に形成され、分離可能部１３を蓋本体１１から分離させることにより、蓋本体１１の所定位置に形成されるようになっている。
【００１５】
分離可能部１３は蓋本体１１に一体に形成され、蓋本体１１の下面に設けた溝１３ａで囲まれた部分からなる。溝１３ａは開口部１２となる部分の周縁に沿って延びるように設けられ、溝１３ａにおける蓋本体１１の肉厚は他の部分よりも小さく形成されている。分離可能部１３の長手方向一端側には下方に延びる把持部１３ｂが設けられ、図５に示すように把持部１３ｂを把持して分離可能部１３を溝１３ａから切り離すことにより、分離可能部１３が蓋本体１１から分離し、分離可能部１３が除去された部分に開口部１２が形成されるようになっている。
【００１６】
補強部１４は蓋本体１１の上面側に設けられ、蓋本体１１と一体に形成されている。補強部１４は、開口部１２となる部分の周縁に沿って延びる第１のリブ１４ａと、第１のリブ１４ａから外側に向かって延びる複数の第２のリブ１４ｂとからなり、各リブ１４ａ，１４ｂは蓋本体１１の上方に向かって突出するように形成されている。
【００１７】
以上の構成において、シーリング材を使用する場合は、まず、図６(a) に示すように分離可能部１３の把持部１３ｂを把持して分離可能部１３の長手方向一端側から他端側に向かって引張ることにより、分離可能部１３を溝１３ａから分離し、図６(b) に示すように蓋本体１１に開口部１２を形成する。
【００１８】
次に、図７に示すように一端を開封した包装袋３０を開口部１２の一方から挿入して他方に引き出すことにより、包装袋３０内の他方の材料Ｂが容器２０内の一方の材料Ａ上に絞り出される。その際、包装袋３０がその厚さを開口部１２の幅に規制されながら開口部１２を通過することにより、包装袋３０内の他方の材料Ｂが開口部１２の縁部によって押し出されることから、材料Ｂを手に付着させることなくほぼ完全に絞り出すことができる。また、シーリング材の使用前においては、蓋本体１１の開口部１２が分離可能部１３によって密閉されていることから、開口部１２から容器２０内に外部の空気や異物が侵入することはない。更に、開口部１２の周囲が補強部１４によって補強されることから、包装袋３０が開口部１２を挿通する際、蓋本体１１の開口部１２が容易に変形することがない。
【００１９】
このように、本実施形態によれば、蓋本体１１の所定位置から分離させることにより開口部１２を形成する分離可能部１３を蓋本体１１に一体に形成したので、シーリング材の使用前は蓋本体１１の開口部１２を分離可能部１３によって密閉しておくことができる。これにより、開口部１２から容器２０内に外部の空気や異物が侵入することがなく、容器２０内の一方の材料Ａの乾燥や劣化を確実に防止することができる。また、包装袋３０の絞り出し作業を行う場合は、分離可能部１３を蓋本体１１から分離させることにより開口部１２を容易に形成することができるので、包装袋３０の絞り出し作業を速やかに開始することができる。この場合、多数の容器２０のシーリング材を使用する場合でも、一つの蓋１に形成した開口部１２を用いて多数の包装袋３０の絞り出しを行うことができるので、作業性の向上を図ることができる。
【００２０】
更に、分離可能部１３を開口部１２となる部分の周縁に沿って延びる溝１３ａの内側に設けるとともに、溝１３ａから切り離すことにより蓋本体１１から分離可能に形成したので、分離可能部１３を溝１３ａに沿って蓋本体１１から容易に分離させることができ、所定形状の開口部１２を確実に形成することができる。この場合、分離可能部１３を分離すると、蓋本体１１の下面が平面状になることから、包装袋３０から絞り出した他方の材料Ｂが蓋本体１１の下面に付着した場合でも、ヘラ等によって容易に除去することができ、材料Ｂの付着による汚れが多い場合は、他の蓋１０と交換することにより作業を速やかに再開することができる。
【００２１】
また、分離可能部１３の長手方向一端側に把持部１３ｂを設けたので、把持部１３ｂを把持しながら分離可能部１３を分離させることができ、手作業による分離作業を極めて容易に行うことができる。
【００２２】
更に、分離可能部１３の周囲に補強部１４を設けたので、開口部１２によって包装袋３０の絞り出しを行う際、開口部１２が容易に変形することがなく、包装袋３０内の他方の材料Ｂを確実に絞り出すことができる。尚、本実施形態では、補強部１４を第１及び第２のリブ１４ａ，１４ｂによって形成したものを示したが、例えばハニカム状のリブなど、他の形状に形成するようにしてもよい。
【００２３】
また、蓋本体１１を射出成形によるプラスチック成形品から形成したので、分離可能部１３及び補強部１４を蓋本体１１に容易に一体成形することができ、生産性の向上を図ることができる。
【００２４】
図８乃至図１２は本発明の他の実施形態を示すもので、図８は容器用蓋の下面側斜視図、図９は分離可能部の斜視図、図１０及び図１１はその側面断面図、図１２は開口部の形成方法を示す斜視図である。尚、本実施形態の容器用蓋は前記実施形態と構成の異なる分離可能部を備えたもので、前記実施形態と同等の他の構成部分には同一の符号を付して示す。
【００２５】
同図に示す分離可能部１５は蓋本体１１に一体に形成され、蓋本体１１の下面に突設されている。分離可能部１５は、開口部１２となる部分を覆うように中空状に形成され、図１０に示すように分離可能部１５を図中破線部分から切断することにより、図１１に示すように分離可能部１５が蓋本体１１から分離し、分離可能部１５が除去された部分に開口部１２が形成されるようになっている。
【００２６】
即ち、本実施形態では、図１２(a) に示すように分離可能部１５をカッターＣによって蓋本体１１の下面に沿って切断し、分離可能部１５を蓋本体１１から分離することにより、図１２(b) に示すように蓋本体１１に開口部１２を形成することができる。これにより、前記実施形態と同様、シーリング材の使用前は蓋本体１１の開口部１２を分離可能部１５によって密閉しておくことができ、使用する場合は分離可能部１５を蓋本体１１から分離させることにより開口部１２を容易に形成することができる。この場合、分離可能部１５を開口部１２となる部分を覆うように蓋本体１１の下面側に中空状に突設するとともに、蓋本体１１の下面に沿って切断することにより蓋本体１１から分離可能に形成したので、分離可能部１５をカッターＣを用いて蓋本体１１から容易に分離させることができ、所定形状の開口部１２を確実に形成することができる。
【図面の簡単な説明】
【００２７】
【図１】本発明の一実施形態を示す容器及び容器用蓋の全体斜視図
【図２】容器用蓋の下面側斜視図
【図３】分離可能部の斜視図
【図４】分離可能部の側面断面図
【図５】分離可能部の側面断面図
【図６】開口部の形成方法を示す斜視図
【図７】開口部の使用方法を示す斜視図
【図８】本発明の他の実施形態を示す容器用蓋の下面側斜視図
【図９】分離可能部の斜視図
【図１０】分離可能部の側面断面図
【図１１】分離可能部の側面断面図
【図１２】開口部の形成方法を示す斜視図
【符号の説明】
【００２８】
１０…蓋、１１…蓋本体、１２…開口部、１３…分離可能部、１３ａ…溝、１３ｂ…把持部、１４…補強部、１５…分離可能部、２０…容器、３０…包装袋、Ａ…一方の材料、Ｂ…他方の材料。
【図１】
2006232335.tif 000003
【図２】
2006232335.tif 000004
【図３】
2006232335.tif 000005
【図４】
2006232335.tif 000006
【図５】
2006232335.tif 000007
【図６】
2006232335.tif 000008
【図７】
2006232335.tif 000009
【図８】
2006232335.tif 000010
【図９】
2006232335.tif 000011
【図１０】
2006232335.tif 000012
【図１１】
2006232335.tif 000013
【図１２】
2006232335.tif 000014